(57)【要約】  【課題】適切なノイズ低減処理を行い得る携帯通信端末を提供する。  【解決手段】携帯通信端末は、第１及び第２のサブマイクのうち、第１及び第２のサブマイクそれぞれの出力信号の出力レベルと、メインマイクの出力信号の出力レベルとの差の大きい方のサブマイクを選択し、選択したサブマイクの出力信号とメインマイクの出力信号とを合成することでノイズを低減した通話信号を生成し、生成した通話信号を外部に送信する。【選択図】図６
2014155051.tif 000002
【特許請求の範囲】
【請求項１】
内蔵するメインマイクの出力信号に基づく通話信号を外部に送信する携帯通信端末であって、
前記メインマイクと離間し、且つ互いに離間して配置された第１及び第２のサブマイクと、
前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択部と、
前記メインマイクの前記出力信号の成分と前記サブマイク選択部で選択されたサブマイクの出力信号の成分とを合成して通話信号を生成する合成部と、
前記合成部で生成した通話信号を外部に送信する送信部とを備える
ことを特徴とする携帯通信端末。
【請求項２】
前記サブマイク選択部による前記サブマイクの選択は、前記第１及び第２のサブマイクそれぞれの出力レベルと前記メインマイクの出力レベルとの差を比較することによって行う
ことを特徴とする請求項１記載の携帯通信端末。
【請求項３】
更に、筐体と、
前記メインマイクが外部の音を取り入れるためのメインマイク孔と、
前記第１のサブマイクが外部の音を取り入れるための第１サブマイク孔と、
前記第２のサブマイクが外部の音を取り入れるための第２サブマイク孔とを備え、
前記メインマイク孔は、前記筐体の主表面に配置され、
前記第１サブマイク孔は、前記主表面において、縁近傍に配置され、
前記第２サブマイク孔は、前記主表面に対向する裏面に配置されている
ことを特徴とする請求項２記載の携帯通信端末。
【請求項４】
ハンズフリー通話モードでの通話機能とハンズフリー通話でない通常通話モードでの通話機能を有しており、
前記ハンズフリー通話モードと前記通常通話モードとの間で通話モードを切り替える通話モード切替部と、
前記通話モードの切替指示を受け付ける指示受付部とを更に備え、
前記通話モード切替部は、前記指示受付部が、前記通話モードの切替指示を受け付けた場合に、前記通話モードを切り替え、
前記サブマイク選択部は、前記通話モード切替部が通話モードを前記ハンズフリー通話モードに切り替えた際には、前記第２のサブマイクを選択する
ことを特徴とする請求項３記載の携帯通信端末。
【請求項５】
内蔵するメインマイクの出力信号に基づく通話信号を外部に送信する携帯通信端末であって、
前記メインマイクと離間し、且つ互いに離間して配置された第１及び第２のサブマイクと、
ユーザからの前記第１及び第２のサブマイクの切替指示を受け付けるサブマイク切替指示受付部を備え、
前記サブマイク切替指示受付部が、前記切替指示を受け付けた場合には、前記第１及び第２のサブマイクのうち、当該切替指示を受け付ける前に選択されていたサブマイクとは異なるサブマイクを選択するサブマイク選択部と、
前記メインマイクの前記出力信号の成分と前記サブマイク選択部で選択されたサブマイクの出力信号の成分とを合成して通話信号を生成する合成部と、
前記合成部で生成した通話信号を外部に送信する送信部とを備える
ことを特徴とする携帯通信端末。
【請求項６】
内蔵するメインマイクの出力信号に基づく通話信号を外部に送信する携帯通信端末の制御方法であって、
前記携帯通信端末は、前記メインマイクと離間し、且つ互いに離間して配置された第１及び第２のサブマイクとを備え、
前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択ステップと、
前記メインマイクの前記出力信号の成分と前記サブマイク選択ステップで選択されたサブマイクの出力信号の成分とを合成して通話信号を生成する合成ステップと、
前記合成ステップで生成した通話信号を外部に送信する送信ステップとを備える
ことを特徴とする携帯通信端末。
【請求項７】
内蔵するメインマイクの出力信号に基づく通話信号を外部に送信する携帯通信端末の制御プログラムであって、
前記携帯通信端末は、前記メインマイクと離間し、且つ互いに離間して配置された第１及び第２のサブマイクとを備え、
当該携帯通信端末に、
前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択ステップと、
前記メインマイクの前記出力信号の成分と前記サブマイク選択ステップで選択されたサブマイクの出力信号の成分とを合成して通話信号を生成する合成ステップと、
前記合成ステップで生成した通話信号を外部に送信する送信ステップとを
実行させることを特徴とする制御プログラム。
【発明の詳細な説明】
【技術分野】
【０００１】
本発明は、携帯通信端末に関する。
【背景技術】
【０００２】
携帯通信端末は、例えば、繁華街、駅構内といった、比較的大きな騒音が存在する場所で利用されることが想定される。このため、ユーザの発する声以外の音成分、すなわち周囲の雑音を低減する機能を備えた携帯通信端末が知られている。例えば、特許文献１には、携帯通信端末の筐体に、通話用マイクと、通話用マイクから離れた位置に配置された集音マイクとを備え、ユーザが携帯通信端末を自身の頭部近辺で把持して通話する場合において、集音マイクが集音する音に含まれるユーザの声の音声成分が、通話用マイクが集音する音に含まれるユーザの声の音声成分に比べて小さいことを利用して、通話用マイクの出力信号に、集音マイクの出力信号の逆位相の信号を合成することで、通話用マイクの出力信号から、ユーザの声以外の音成分を減衰させる技術が開示されている。以下、このようにしてユーザの声以外の音成分を減衰させる処理を「ノイズ低減処理」と呼ぶ。
【０００３】
ところが、いわゆるハンズフリー通話のように、ユーザと携帯通信端末との距離が、例えば、３０ｃｍ〜１ｍ位離れた状態でユーザが通話を行う場合には、ユーザの口と、通話用マイク及び集音マイクのそれぞれまでの距離が同程度になる。そのため、通話用マイクで集音した音と集音マイクで集音した音との音量レベルが同程度になり、特許文献１の技術では、ユーザの声の音声成分までもが除去される、又は比較的大幅に低減されることとなってしまう。
【０００４】
そこで、特許文献２には、第１マイク（通話用マイク）と第２マイク（集音マイク）と近接センサとを備え、近接センサがユーザ頭部の近接を検知しない場合には、第２マイクの集音した音を利用したノイズ低減処理を行わないようにする技術が開示されている。
【先行技術文献】
【特許文献】
【０００５】
【特許文献１】特開２００１−２９８３９４号公報
【特許文献２】特開２０１０−８１４９５号公報
【発明の概要】
【発明が解決しようとする課題】
【０００６】
しかしながら、特許文献２の技術では、ユーザと携帯通信端末との距離が離れた状態でユーザが通話する場合には、２つのマイクの出力信号を用いたノイズ低減処理を行わないので、効果的に周囲の雑音を低減することができないという問題がある。
そこで、本発明は係る問題に鑑みてなされたものであり、適切なノイズ低減処理を行い得る携帯通信端末を提供することを目的とする。
【課題を解決するための手段】
【０００７】
上記課題を解決するために、本発明に係る携帯通信端末は、内蔵するメインマイクの出力信号に基づく通話信号を外部に送信する携帯通信端末であって、前記メインマイクと離間し、且つ互いに離間して配置された第１及び第２のサブマイクと、前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択部と、前記メインマイクの前記出力信号の成分と前記サブマイク選択部で選択されたサブマイクの出力信号の成分とを合成して通話信号を生成する合成部と、前記合成部で生成した通話信号を外部に送信する送信部とを備えることを特徴とする。
【発明の効果】
【０００８】
上述の構成により、本発明に係る携帯通信端末は、適切なノイズ低減処理を行い得る携帯通信端末を提供することができる。
【図面の簡単な説明】
【０００９】
【図１】（ａ）通常通話モードでの使用態様の一例、（ｂ）ハンズフリー通話モードでの使用態様の一例
【図２】（ａ）主表面側から見た携帯通信端末１０の斜視図、（ｂ）主表面に対向する裏側から見た携帯通信端末１０の斜視図
【図３】携帯通信端末１０についての、長辺側の側面から見た断面図
【図４】携帯通信端末１０の主要な回路構成を示すブロック図
【図５】ノイズ低減機能ブロック４００の機能構成を示すブロック図
【図６】ノイズ低減処理のフローチャート
【図７】実施の形態２のノイズ低減機能ブロック４００ｂの機能構成を示すブロック図
【図８】実施の形態２のノイズ低減処理のフローチャート
【発明を実施するための形態】
【００１０】
＜１．実施の形態＞
＜１．１  概要＞
図１は、本実施の形態の携帯通信端末１０の使用態様の一例である。携帯通信端末１０のユーザは、ハンズフリー通話モードとハンズフリー通話モードではない通常通話モードとのどちらかの通話モードを択一的に設定して、通話相手との通話をすることができる。ここで、通常通話モードとは、図１（ａ）に示すように、ユーザが、携帯通信端末１０を手に持ち、メインマイク孔２０３を口元、レシーバ孔２０６を耳元に接近させた状態で通話を行う場合に適した通話モードである。一方、ハンズフリー通話モードとは、図１（ｂ）で示すように、ユーザが、メインマイク孔２０３とユーザの口との距離が通常通話モードよりも離れた状態（例えば、３０ｃｍ〜１ｍ位離れた状態）で通話する場合に適した通話モードである。
【００１１】
携帯通信端末１０は、例えば、メインマイク孔２０３からメインマイクに入力された入力音（以下、「メインマイク入力音」と呼ぶ。）の成分から、第１サブマイク孔２０４から第１サブマイクに入力された入力音（以下、「第１サブマイク入力音」と呼ぶ。）の成分を減衰することによって、周囲の雑音を低減した出力信号を生成する。メインマイク入力音及び第１サブマイク入力音には、ユーザの発する声の音声成分と、それ以外の音成分、すなわち周囲の雑音の音成分とが含まれている。しかし、それぞれの音声成分の音量レベルは、それぞれのマイク孔の位置によって異なる。例えば、ユーザが携帯通信端末１０を手に持ち、メインマイク孔２０３を口元、レシーバ孔２０６を耳元に接近させた状態で通話を行う場合、メインマイク孔２０３は、ユーザの口に非常に接近しているので、ユーザの発する声の音声成分の音量レベルが非常に大きい。一方、第１サブマイク孔２０４は、メインマイク孔２０３に比べてユーザの口から離れた位置にあるので、第１サブマイク入力音に含まれるユーザの発する声の音声成分の音量レベルは、メインマイク入力音に含まれるユーザの発する声の音声成分の音量レベルより小さい。そこで、メインマイクの出力信号に、第１サブマイクの出力信号の逆位相の信号を合成することで、周囲の雑音を効果的に低減することができる。
【００１２】
一方、図１（ｂ）で示されるハンズフリー通話モードのように、ユーザが携帯通信端末１０から離れた状態で通話する場合には、ユーザの口からメインマイク孔２０３までの距離と、同第１サブマイク孔２０４までの距離とが同じくらいの距離となる。このため、メインマイク入力音の音量レベルと、第１サブマイク入力音の音量レベルとが、同程度となる。このような場合に、第１サブマイク入力音を用いてノイズ低減処理を行うと、ユーザの声の音声成分までも除去又は大幅に低減されることになる。
【００１３】
そこで、携帯通信端末１０は、更に、第２サブマイクを備え、第２サブマイクに通じる第２サブマイク孔２０５を、メインマイク孔２０３及び第１サブマイク孔２０４と離間した位置に配置し、第１サブマイク入力音とメインマイク入力音との音量レベルの差と、第２サブマイクへの入力音とメインマイクへの入力音との音量レベルの差とを比較し、その差が大きい方のサブマイク、すなわち、図１（ｂ）の場合には、第２サブマイクを用いて、ノイズ低減処理を行うようにした。これにより、携帯通信端末１０では、ハンズフリー通話モードのように、ユーザと携帯通信端末との距離がある程度（例えば、３０ｃｍ〜１ｍ）離れた状態でユーザが通話するような場合においても、従来に比べて周囲の雑音を効果的に低減することができる。
【００１４】
以下、このような処理を行う携帯通信端末１０について、図を用いて詳細に説明する。
＜１．２  回路構成＞
図２（ａ）は、携帯通信端末１０を、タッチパネル１０９の操作面が配置されている筐体の主表面（以下、「表側主表面」と呼ぶ。）側から見た斜視図であり、同図（ｂ）は、表側主表面に対向する裏側の主表面（以下、「裏側主表面」と呼ぶ。）側から見た斜視図である。
【００１５】
図２（ａ）に示されるように、携帯通信端末１０は、その筐体の表側主表面にタッチパネル１０９の操作面、メインマイク孔２０３、第１サブマイク孔２０４、及びレシーバ孔２０６を有している。そして、同図（ｂ）に示されるように、その筐体の裏側主表面に、ハンズフリー通話モードの際に通話相手からの音声をレシーバの代わりに出力するスピーカ用のスピーカ孔２０７と、中心付近に第２サブマイク孔２０５とを有している。
【００１６】
図３は、携帯通信端末１０を長辺側の側面から見た断面図である。
同図に示されるように、携帯通信端末１０の筐体の外郭には、メインマイク孔２０３、第１サブマイク孔２０４、第２サブマイク孔２０５、レシーバ孔２０６、及びスピーカ孔２０７を備え、筐体内部には、基板２１０、メインマイク１０３、第１サブマイク１０４、第２サブマイク１０５、レシーバ１０６、スピーカ１０７、タッチパネル１０９、電池２０１、及びアンテナ構体２１１を有している。そして、基板２１０には、ＣＰＵ（Central Processing Unit）１０１、メモリ１０２、通信用ＬＳＩ（Large Scale Integration）１１２、タッチパネルコントローラ１０８等の電子部品が配置されている。また、タッチパネル１０９は、ＬＣＤ（Liquid Crystal Display）１１１の表示面に透明なタッチパッド１１０が重ね合わされた構成である。アンテナ構体２１１には、金属薄膜製のアンテナ１１３（図３には不図示）が配置されている。
【００１７】
図４は、携帯通信端末１０の回路構成を示すブロック図である。
図４に示すように、携帯通信端末１０は、ＣＰＵ１０１、メモリ１０２、メインマイク１０３、第１サブマイク１０４、第２サブマイク１０５、レシーバ１０６、スピーカ１０７、タッチパネルコントローラ１０８、タッチパネル１０９、通信用ＬＳＩ１１２、アンテナ１１３、コンパレータ１１４、サブマイクセレクタ１１５、メインマイク用Ａ／Ｄ（アナログ−デジタル）コンバータ１１６、サブマイク用Ａ／Ｄコンバータ１１７、ＤＳＰ（Digital Signal Processor）１１８、Ｄ／Ａコンバータ１１９、及び出力セレクタ１２０を備える。
（ＣＰＵ１０１、メモリ１０２）
メモリ１０２は、ＣＰＵ１０１と接続され、ＣＰＵ１０１の動作を規定するプログラムと、ＣＰＵ１０１が利用するデータとを記憶する。
【００１８】
ＣＰＵ１０１は、メインマイク用Ａ／Ｄコンバータ１１６、サブマイク用Ａ／Ｄコンバータ１１７、コンパレータ１１４、サブマイクセレクタ１１５、ＤＳＰ１１８、Ｄ／Ａコンバータ１１９、出力セレクタ１２０、タッチパネルコントローラ１０８、及び通信用ＬＳＩ１１２と接続され、メモリ１０２に記憶されているプログラムを実行することによって、これら回路を制御する機能を備える。
（メインマイク１０３、メインマイク用Ａ／Ｄコンバータ１１６）
メインマイク１０３は、メインマイク孔２０３（図２、図３参照）を通して筐体外部から入力された音をアナログの電気信号（以下、「アナログ信号」と呼ぶ。）に変換する機能を備える。変換されたアナログ信号は、メインマイク用Ａ／Ｄコンバータでデジタルの電気信号（以下、「デジタル信号」と呼ぶ。）に変換されて後述のＤＳＰ１１８へ出力される。また、変換されたアナログ信号は、後述のコンパレータ１１４に出力される。
【００１９】
メインマイク用Ａ／Ｄコンバータ１１６は、メインマイクから出力されるアナログ信号をデジタル信号に変換して、ＤＳＰ１１８に出力する機能を備える。
また、ハンズフリー通話モードの場合に、遠くから発せられるユーザの声を集音できるように、通常通話モードに比べてメインマイクの入力感度を高くする機能を備える。
（第１サブマイク１０４、第２サブマイク１０５）
第１サブマイク１０４は、第１サブマイク孔２０４（図２、図３参照）を通して筐体外部から入力された音をアナログ信号に変換する機能を備える。同様に第２サブマイク１０５は、第２サブマイク孔２０５（図２、図３参照）を通して筐体外部から入力された音をアナログ信号に変換する機能を備える。更に、第１、第２サブマイクは、それぞれ変換したアナログ信号をコンパレータ１１４とサブマイクセレクタ１１５とに出力する機能を備える。
（コンパレータ１１４、サブマイクセレクタ１１５）
コンパレータ１１４は、メインマイク１０３、第１サブマイク及び第２サブマイクそれぞれからアナログ信号を受け取り、メインマイク１０３からのアナログ信号から第１サブマイクからのアナログ信号を減算した差分信号と、メインマイク１０３からのアナログ信号から第２サブマイクからのアナログ信号を減算した差分信号とを比較する機能を備える。更に、比較した結果、その差分信号の大きい方のサブマイクを示す情報をサブマイクセレクタ１１５に出力する機能を備える。
【００２０】
サブマイクセレクタ１１５は、コンパレータ１１４から受け取った情報に基づき、差分信号の大きい方のサブマイクのアナログ信号をサブマイク用Ａ／Ｄコンバータ１１７に出力する機能を備える。なお、差分信号の大きさは、例えば、コンパレータに入力されるアナログ信号の電圧値の大きさで表される。すなわち、音量レベルの差は、アナログ信号の電圧値の差で表される。
（サブマイク用Ａ／Ｄコンバータ１１７）
サブマイク用Ａ／Ｄコンバータ１１７は、サブマイクセレクタ１１５を介して第１サブマイク及び第２サブマイクと接続され、更に、ＤＳＰ１１８に接続されている。そして、サブマイクセレクタ１１５で選択されたサブマイクのアナログ信号をデジタル信号に変換し、変換したデジタル信号をＤＳＰ１１８に出力する機能を備える。
（ＤＳＰ１１８）
ＤＳＰ１１８は、サブマイク用Ａ／Ｄコンバータ１１７から受け取ったデジタル信号の位相を逆転した信号を生成し、メインマイク用Ａ／Ｄコンバータ１１６から受け取ったデジタル信号に合成することによって、雑音を低減したデジタル信号（以下、「ノイズ低減信号」と呼ぶ。）を、ＣＰＵ１０１を介して通信用ＬＳＩ１１２に出力する機能を備える。
（Ｄ／Ａコンバータ１１９、出力セレクタ１２０）
Ｄ／Ａコンバータ１１９は、通話相手からの音声信号に基づいて生成されたデジタル信号を、ＣＰＵ１０１を介して通信用ＬＳＩ１１２から受け取り、このデジタル信号をアナログ信号に変換する機能を備える。
【００２１】
出力セレクタ１２０は、Ｄ／Ａコンバータ１１９からのアナログ信号を、通常通話モードの場合にはレシーバ１０６へ、ハンズフリー通話モードの場合にはスピーカ１０７へ出力する機能を備える。
（レシーバ１０６、スピーカ１０７）
レシーバ１０６は、通常通話モードの際に、出力セレクタ１２０から受け取ったアナログ信号を音に変換して、変換した音を、レシーバ孔２０６を通して筐体外部に出力する機能を有する。
【００２２】
スピーカ１０７は、ハンズフリー通話モードの際に、出力セレクタ１２０から受け取ったアナログ信号を音に変換して、変換した音を、スピーカ孔２０７を通して筐体外部に出力する機能を有する。なお、スピーカ１０７は、ユーザが、３０ｃｍ〜１ｍ位離れた位置において通話相手の声が聞き取れるように、レシーバ１０６よりも大音量で出力するように設計されている。
（タッチパネル１０９、タッチパネルコントローラ１０８）
タッチパネル１０９は、上述したように、ＬＣＤ１１１の表示面に透明なタッチパッド１１０が重ね合わされた構成である。
【００２３】
タッチパッド１１０は、タッチパネルコントローラ１０８に接続され、タッチパネルコントローラ１０８によって制御され、透明電極（例えば、ＩＴＯ（Indium Tin Oxide：酸化インジウムスズ）製）を備える透明なタッチパッドであって、ユーザからのタッチ操作を受け付ける機能を備える。
ＬＣＤ１１１は、タッチパネルコントローラ１０８に接続され、タッチパネルコントローラ１０８によって制御されるＬＣＤであって、ユーザに情報を提示したり、操作メニュー等のユーザ操作のための表示を行う機能を備える。
【００２４】
タッチパネルコントローラ１０８は、ＣＰＵ１０１とタッチパッド１１０とＬＣＤ１１１とに接続され、ＣＰＵ１０１によって制御され、ＣＰＵ１０１から送られてくる画像信号に基づく画像を、ＬＣＤ１１１に表示させる表示機能と、携帯通信端末１０を利用するユーザが、タッチパッド１１０を用いて行うユーザ操作の情報を、ＣＰＵ１０１に送る操作受付機能とを有する。
【００２５】
ユーザは、例えば、タッチパネル１０９を操作することによって、通話モードの変更を行う。具体的には、ＬＣＤ１１１は、通話モードを選択するための画面を表示し、ユーザは、その画面に対してどちらかの通話モードを選択する操作を行うことによって、通常通話モードとハンズフリー通話モードとの切り替え指示を行う。
また、ＬＣＤ１１１は、通話開始ボタンを表示し、ユーザは、その通話開始ボタンを押すことによって通話を開始する指示を行う。
（アンテナ１１３、通信用ＬＳＩ１１２）
アンテナ１１３は、通信用ＬＳＩ１１２に接続され、通信用ＬＳＩ１１２が行う通信に利用される金属薄膜製のモノポールアンテナである。
【００２６】
通信用ＬＳＩ１１２は、アンテナ１１３とＣＰＵ１０１とに接続され、ＣＰＵ１０１によって制御され、ＣＰＵ１０１から送られて来た送信用信号を変調する変調機能と、変調した信号を、アンテナ１１３を利用して外部に送信する送信機能と、外部から送信された信号を、アンテナ１１３を利用して受信する受信機能と、受信した信号を復調してＣＰＵ１０１へ送る復調機能とを有する。
（電池２０１）
電池２０１は、例えば、リチウムイオン二次電池などの充電池であって、携帯通信端末１０の各回路を駆動するための電力を供給する。
＜１．３  機能構成＞
以下、上述の回路構成を備えた携帯通信端末１０の特徴的な機能であるノイズ低減機能について説明する。
【００２７】
図５は、携帯通信端末１０のノイズ低減処理を実現するノイズ低減機能ブロック４００の構成を示すブロック図である。
このノイズ低減機能ブロック４００は、ＣＰＵ１０１が、メモリ１０２に記憶されているプログラムを実行し、コンパレータ１１４、サブマイクセレクタ１１５、メインマイク用Ａ／Ｄコンバータ１１６、サブマイク用Ａ／Ｄコンバータ１１７、及びＤＳＰ１１８を制御することで実現される。
【００２８】
同図に示されるように、ノイズ低減機能ブロック４００は、差分信号生成部４０１、差分信号比較部４０２、サブマイク選択部４０３、メインマイク用Ａ／Ｄ変換部４０４、サブマイク用Ａ／Ｄ変換部４０５、及びノイズキャンセル部４０６から構成される。
差分信号生成部４０１は、メインマイク１０３と第１サブマイク１０４と第２サブマイク１０５とに接続され、メインマイク１０３から受け取ったアナログ信号から、第１サブマイク１０４から受け取ったアナログ信号を減算した信号と、メインマイク１０３から受け取ったアナログ信号から、第２サブマイク１０４から受け取ったアナログ信号を減算した信号とを差分信号比較部に出力する機能を備える。
【００２９】
差分信号比較部４０２は、差分信号生成部４０１から受け取ったそれぞれの信号を比較し、差分信号の電圧値の大きい方のサブマイクを示す情報をサブマイク選択部４０３に出力する機能を備える。なお、差分信号生成部４０１及び差分信号比較部４０２の処理は、コンパレータ１１４が行う。
サブマイク選択部４０３は、第１サブマイク１０４と第２サブマイク１０５と、差分信号比較部４０２とに接続され、差分信号比較部４０２から受け取った差分信号の電圧値の大きい方のサブマイクを示す情報に基づいて、電圧値の大きい方のサブマイクから入力されたアナログ信号をサブマイク用Ａ／Ｄ変換部４０５に出力する機能を備える。なお、この処理はサブマイクセレクタ１１５が行う。
【００３０】
メインマイク用Ａ／Ｄ変換部４０４は、メインマイク１０３とノイズキャンセル部４０６とに接続され、メインマイク１０３から受け取ったアナログ信号をデジタル信号に変換して、ノイズキャンセル部４０６に出力する機能を有する。以下、このデジタル信号を「メインマイク音信号」と呼ぶ。この処理は、メインマイク用Ａ／Ｄコンバータ１１６が行う。
【００３１】
サブマイク用Ａ／Ｄ変換部４０５は、サブマイク選択部４０３とノイズキャンセル部４０６とに接続され、サブマイク選択部４０３から受け取ったアナログ信号をデジタル信号に変換して、ノイズキャンセル部４０６に出力する機能を有する。以下、このデジタル信号を「サブマイク音信号」と呼ぶ。この処理は、サブマイク用Ａ／Ｄコンバータ１１７が行う。
【００３２】
ノイズキャンセル部４０６は、メインマイク用Ａ／Ｄ変換部４０４と、サブマイク用Ａ／Ｄ変換部４０５とに接続され、メインマイク用Ａ／Ｄ変換部４０４からのメインマイク音信号に、サブマイクＡ／Ｄ変換部４０５からのサブマイク音信号の逆位相の信号を合成してノイズ低減信号を生成し、生成したノイズ低減信号を通信用ＬＳＩ１１２に送る機能を有する。なお、この処理は、ＤＳＰ１１８によって行われる。
【００３３】
＜１．４  動作＞
以下、上述の構成を備えた携帯通信端末１０におけるノイズ低減処理における動作について説明する。
図６は、携帯通信端末１０におけるノイズ低減処理のフローチャートである。
携帯通信端末１０は、タッチパネル１０９に表示された通話開始ボタンがユーザによって押されたことを検知すると、メインマイク１０３から出力されるアナログの音信号から第１サブマイク１０４から出力されるアナログの音信号を減算した差分信号Ｄ１を生成する（ステップＳ１０）。具体的には、例えば、オペアンプを用いた減算器を構成するアナログ回路にそれぞれの音信号を入力すると、差分信号Ｄ１が出力される。
【００３４】
同様に、メインマイク１０３から出力されるアナログの音信号から第２サブマイク１０４から出力されるアナログの音信号を減算した差分信号Ｄ２を生成する（ステップＳ１１）。
次に、コンパレータ１１４は、差分信号Ｄ１及び差分信号Ｄ２の音量レベルを比較する（ステップＳ１２）。具体的には、コンパレータ１１４は、差分信号Ｄ１及び差分信号Ｄ２の入力電圧を比較し、差分信号Ｄ１の入力電圧が、差分信号Ｄ２の入力電圧より大きい場合には、「Ｈｉｇｈ」を出力し、そうでない場合には「Ｌｏｗ」を出力する。
【００３５】
コンパレータ１１４の出力がＨｉｇｈの場合、すなわち差分信号Ｄ１の音量レベルの方が大きい場合（ステップＳ１２：ＮＯ）、サブマイクセレクタ１１５は、第１サブマイク１０４を選択し、第１サブマイク１０４から出力されるアナログ信号をサブマイク用Ａ／Ｄコンバータ１１７に出力する（ステップＳ１３）。
次に、メインマイク用Ａ／Ｄコンバータ１１６は、メインマイクから出力されたアナログ信号をデジタル信号に変換することによってメインマイク音信号を生成し、ＤＳＰ１１８に出力する。同様に、サブマイク用Ａ／Ｄコンバータ１１７は、サブマイクセレクタ１１５から出力されたアナログ信号をデジタル信号に変換することによって、サブマイク音信号を生成し、ＤＳＰ１１８に出力する。
【００３６】
ＤＳＰ１１８は、メインマイク音信号とサブマイク音信号とから雑音を低減したノイズ低減信号を生成する（ステップＳ１４）。具体的には、サブマイク音信号の逆位相の音信号を生成し、メインマイク音信号に合成する。このように、サブマイク音信号の逆位相の信号をメインマイク音信号に合成することで、メインマイク音信号に含まれる、サブマイク音信号と同じ音成分が打ち消しあい、その結果、メインマイク音信号からサブマイク音信号、すなわち、雑音が低減されたノイズ低減信号を生成することができる。
【００３７】
一方、ステップＳ１２でＹＥＳの場合には、サブマイクセレクタ１１５は、第２サブマイク１０５を選択し、第２サブマイク１０５から出力されるアナログ信号をサブマイク用Ａ／Ｄコンバータ１１７に出力する（ステップＳ１５）。
ＤＳＰ１１８は、ステップＳ１４と同様の処理を行い、メインマイク音信号とサブマイク音信号とから雑音が低減されたノイズ低減信号を生成する（ステップＳ１６）。
【００３８】
次に、通信用ＬＳＩ１１２は、生成されたノイズ低減信号を外部の通信機器に送信する（ステップＳ１７）。
＜１．５  考察＞
ユーザが、携帯通信端末１０で通話中に、時折、携帯通信端末１０のタッチパネル１０９を操作する場合、タッチパネル１０９の操作中は、携帯通信端末１０を自身の頭部から離して通話することになる。このように、ユーザが使用態様を変えながら通話する場合、メインマイクに入力する音と、今までノイズ低減処理に用いていたサブマイクに入力する音との音量レベルが同程度のレベルになる場合があり、音量レベルが同程度になったサブマイクを用いてノイズ低減処理を行うとユーザの発する音声までも低減されることになる。
【００３９】
上記構成の携帯通信端末１０は、このような場合であっても、第１サブマイクと第２サブマイクの出力する音信号の音量レベルを比較して、ユーザの音声成分が低減されにくいと思われる方のサブマイクの音信号、すなわち、メインマイクの音信号との差分が大きい方のサブマイク音信号を用いてノイズ低減処理を行うことができるので、従来よりもユーザの発する声の音声成分の大幅な低減が起こりにくい。
＜２．実施の形態２＞
＜２．１  概要＞
実施の形態１では、メインマイク１０３が出力するアナログ信号と、第１サブマイク１０４及び第２サブマイク１０５がそれぞれ出力するアナログ信号との差を逐次比較して、ノイズ低減処理に用いるサブマイクを選択する場合の携帯通信端末１０について説明した。
【００４０】
実施の形態２では、通話モードに応じて、ノイズ低減処理に用いるサブマイクを選択する携帯通信端末について説明する。実施の形態２では、ユーザがハンズフリー通話モードで通話する場合の使用態様は、携帯通信端末１０を、自身から３０ｃｍ〜１ｍぐらい離した状態で、表側主表面に向かって通話する使用態様とする。そして、本実施の形態２ではユーザがハンズフリー通話モードで通話する場合には、実施の形態１で行った比較処理を行わず、裏側主表面に配置された第２のサブマイクの出力信号を用いてノイズ低減処理を行う。本実施の形態２では、ハンズフリー通話モードでは、比較処理を行わないので、ノイズ低減処理の処理負荷を軽減できる。
【００４１】
以下、実施の形態１の携帯通信端末１０と共通の構成や動作については、説明を省略し、異なる点を重点的に説明する。
＜２．２  構成＞
本実施の形態２に係る携帯通信端末は、実施の形態１の携帯通信端末１０とほぼ同じ構成であるので、説明の便宜上、実施の形態１の携帯通信端末１０と同じ符号を用いる。
【００４２】
図７は、本実施の形態２のノイズ低減処理を実現するノイズ低減機能ブロック４００ｂの構成を示すブロック図である。
本実施の形態２に係る携帯通信端末の回路構成は、実施の形態１の携帯通信端末１０の回路構成と同じであるが、ノイズ低減機能ブロックの機能構成が一部異なる。
異なる点は、ノイズ低減機能ブロック４００ｂが、ノイズ低減機能ブロック４００に比べて、更に通話モード切替部４０７を備え、サブマイク選択部４０３の代わりにサブマイク選択部４０３ｂを備えている点である。
【００４３】
通話モード切替部４０７は、ユーザからの通話モード切替の指示を受けると、通話モードをユーザの指示した通話モードに切り替え、サブマイク選択部４０３にどちらの通話モードに切り替えたかを示す情報を出力する機能を備える。通話モード切替部の機能は、ＣＰＵ１０１がメモリ１０２に記憶しているプログラムを実行することによって実現される。
【００４４】
サブマイク選択部４０３ｂは、サブマイク選択部４０３の機能に加え、通話モード切替部４０７からの通話モードの切り替えを示す情報を受け取った場合には、差分信号比較部４０２からの情報にかかわらず、通話モードの切り替えを示す情報に基づいて、ノイズ低減処理に用いるサブマイクを選択する機能を有する。
＜２．３  動作＞
以下、上述の構成を備えた携帯通信端末１０におけるノイズ低減処理における動作について説明する。
【００４５】
図８は、携帯通信端末１０におけるノイズ低減処理のフローチャートである。
ユーザが、タッチパネル１０９へのタッチ操作によって、通話モードの切り替え指示を行った場合、通話モード切替部４０７は、通常通話モードとハンズフリー通話モードとの２つの通話モードのうち、ユーザの指示した通話モードに切り替え、通話モードを特定する情報をサブマイク選択部４０３ｂに出力する（ステップＳ２１）。
【００４６】
具体的には、タッチパネル１０９は、携帯通信端末１０に予め設定されている通話モード切替メニューを表示し、ユーザがその画面操作を行って通話モードを指定した際には、タッチパッド１１０は、ユーザ操作基づいて、通話モードを特定する情報をＣＰＵ１０１に出力する。タッチパッド１１０から通話モードを特定する情報が、通常通話モードを示す場合には、ＣＰＵ１０１は、メインマイク１０３の音の入力感度を予め設定されている通常通話モード用の入力感度に設定する。更に、出力セレクタ１２０に、通話相手の音声信号の出力先としてレシーバ１０６を選択するように指示する。出力セレクタ１２０は、ＣＰＵ１０１の指示に従い、通話相手の音声信号の出力先をレシーバ１０６に設定する。
【００４７】
一方、ＣＰＵ１０１は、通話モードを特定する情報が、ハンズフリー通話モードを示す情報である場合には、メインマイク１０３の音の入力感度を、通常通話モードで通話する場合より、遠くの音を集音できるように、予め通常通話モード用の入力感度より高く設定されている入力感度に設定する。そして、出力セレクタ１２０に、通話相手の音声信号の出力先としてスピーカ１０７を選択するように指示する。出力セレクタ１２０は、ＣＰＵ１０１の指示に従い、通話相手の音声信号の出力先をスピーカ１０７に設定する。そして、通話モード切替部４０７は、ユーザが通常通話モードを選択した場合には、サブマイク選択部４０３ｂに対して、例えば、通話モードを特定する情報として「０」を、ハンズフリー通話モードを選択した場合は「１」を出力する。そして、通話モード切替部４０７は、通話モードを特定する情報として「１」を受信した場合には、ハンズフリー通話モードに切り替えられたと判断する。
【００４８】
通話モード切替部４０７が、通話モードをハンズフリー通話モードに切り替えた場合（ステップＳ２１：ＹＥＳ）には、サブマイク選択部４０３ｂは、第２サブマイクを選択し、第２サブマイクからのアナログ信号をサブマイク用Ａ／Ｄ変換部４０５に出力する（ステップＳ１５）。
一方、通常通話モードに切り替えた場合（ステップＳ２１：ＮＯ）は、ステップＳ１０からの処理を行う。なお、ステップＳ１０〜ステップＳ１７の処理は、実施の形態１で図６を用いて説明した処理と同じ処理である。
【００４９】
＜２．４  考察＞
本実施の形態の携帯通信端末１０では、ユーザが通話モードをハンズフリー通話モードに切り替えた場合には、メインマイクの入力音と、第１サブマイク及び第２サブマイクのそれぞれの入力音との差分の大きさを比較せずに、ノイズ低減処理に用いるサブマイクを第２サブマイクに切り替える。
【００５０】
ユーザがハンズフリー通話モードで、表側主表面に向かって通話をしている場合には、ユーザの口と、メインマイク及び第１サブマイクまでの距離は、同程度の距離にある。そのため、メインマイク及び第１サブマイクへの入力音の音量レベルとは、ほぼ同じ音量レベルになる。このことから、第１サブマイクの出力信号用いてノイズ低減処理を行っても、効果的にノイズ低減処理できない。ところが、第２のサブマイクは、裏側主表面に配置されているため、ユーザの声の音量レベルは、メインマイクの音量レベルより小さくなり、第２サブマイクの出力信号を用いた方が効果的にノイズを低減できる。そのため、ユーザが明示的に通話モードをハンズフリー通話モードに切り替えた場合には、サブマイクの音量レベルに基づく比較を行わず、第２サブマイクの出力信号をノイズ低減処理に用いる。このような処理により、逐次比較する処理が省略できるので、ノイズ低減処理の際の負荷を低減できる。
【００５１】
以上のように、各実施形態では、メインマイクの出力信号の出力レベルと、第１及び第２のサブマイクそれぞれの出力信号の出力レベルとの差が大きい方のサブマイクの出力信号を用いてノイズ低減処理を行うことができるので、ユーザと携帯通信端末との距離が離れた状態で通話するような場合においても、周囲の雑音を低減しつつ、従来より、ユーザの声の音声成分の大幅な低減が起こりにくいノイズ低減処理を行い得る。
＜３．変形例＞
以上、本発明に係る携帯通信端末を、実施の形態に基づいて説明したが、以下のように変形することも可能であり、本発明は上述した実施の形態で示した通りの携帯通信端末に限られないことは勿論である。
【００５２】
（１）実施の形態１では、第１サブマイク孔をメインマイク孔と同じ主表面に、第２サブマイク孔を裏側主表面に配置する例で説明したが、サブマイク孔の配置位置は、これに限らない。第２サブマイクが最も感度よく集音する音の方向と、第１サブマイクが最も感度よく集音する音の方向とが異なるようにそれぞれのサブマイクが配置されればよい。例えば、第１サブマイクを表側主表面ではなく、側面に配置してもよい。
【００５３】
また、第１サブマイクも裏側主表面に配置してもよい。この場合には、それぞれのサブマイクが近接せず、できるだけ離れた位置に配置されるのが望ましい。また、それぞれのサブマイクは、メインマイクともできるだけ離れた位置に配置されるのが望ましい。例えば、第２サブマイクが裏側主表面中心付近に配置されている場合には、第１サブマイクは、裏側主表面において、レシーバ孔の設置されている位置に最も近い端辺近傍に配置する。
【００５４】
（２）実施の形態１では、サブマイク選択の際の比較を、メインマイクの出力するアナログ信号と、第１サブマイク及び第２サブマイクがそれぞれ出力するアナログ信号との信号の強さの差分、すなわち電圧の電位差を用いて比較したが、比較の方法はこれに限らない。メインマイクに入力された音と、第１サブマイク及び第２サブマイクのそれぞれに入力された音との差分の大小が比較できればどのような情報を用いて比較してもよい。例えば、第１サブマイク及び第２サブマイクのそれぞれが出力するアナログ信号を両方ともサブマイク用Ａ／Ｄ変換部でデジタルの音信号に変換し、メインマイクのアナログ信号をＡ／Ｄ変換したメインマイク音信号との差分を比較してもよい。
【００５５】
また、差分の信号を一定時間（例えば、１ｍｓ（ミリ秒））積分した値を用いて比較を行ってもよい。これは、比較の際に、ユーザと各サブマイクとの距離の差による音の到達の遅延の影響を低減するためである。各マイクとユーザの口元までの距離には差があるので、ユーザの音声がそれぞれのマイクに到達するまでの時間には、時間差が生ずる。このため、例えば、ユーザが大きな声を発し、その後しばらく沈黙するような場合には、第１及び第２のサブマイクには、それぞれ距離の差に相当する時間だけずれて、ある程度の大きさの信号レベルの音が入力し、その後、信号レベルの小さい音が入力する。このため、各サブマイクへの音の到達がずれることによって、信号レベルの大きさが瞬間的に不所望に逆転する場合がある。そこで、例えば、遅延する時間に相当する時間、差分の信号を積分した値を用いることで、ある一定時間毎の信号レベルの大きさの比較を行うことができ、言い換えると、瞬間的な信号レベルの変動による影響を低減した比較を行うことができる。この場合の信号を積分する時間は、サブマイク間の距離から算出した遅延時間に基づいて決定すればよい。例えば、携帯通信端末の大きさは、一般的には、十数ｃｍ程度なので、各サブマイク間の距離も最大でも十数ｃｍ程度である。このため、各サブマイクへ入力する音の遅延の差は１０分の数ｍｓ〜１ｍｓとなるので、携帯通信端末の設計時にこの遅延時間に基づいて予め設定すればよい。
【００５６】
また、第１サブマイク及び第２サブマイクのそれぞれを用いた場合について、ノイズ低減信号を生成し、それぞれのノイズ低減信号の大きさを比較して、音量レベルの大きい方を出力するようにしてもよい。この場合、処理負担は大きくなるが、よりノイズの低減効果が効果的な方のノイズ低減信号を出力することができる。
（３）実施の形態２では、通話モードが通常通話モードの場合には、実施の形態１と同様に、第１サブマイク及び第２サブマイクそれぞれが出力するアナログ信号と、メインマイクが出力するアナログ信号との差分を比較して、ノイズ低減処理に用いるサブマイクを選択するとしたが、通話モード毎に、ノイズ低減処理で用いるサブマイクを予め記憶しておき、通話モードが変更されれば、この通話モード毎に予め決められたサブマイクを用いるとしてもよい。例えば、実施の形態２のようにそれぞれのサブマイク孔が配置されている場合には、通話モードが通常通話モードの際に、第１サブマイクを選択するとしてもよい。通常通話モードで、ユーザが携帯通信端末を自身の頭部近くで把持して使用している場合には、メインマイク孔とユーザの口元との距離は非常に近く、第１サブマイク孔の方が第２サブマイク孔に比べてメインマイク孔と離れているので、第１サブマイクを用いた方が、効果的にノイズ低減処理を行えるからである。これにより、ハンズフリー通話モードにおける通話時だけでなく、通常通話モードにおける通話時にも、サブマイクの出力信号に基づく比較処理を省略できるので、消費電力や処理負荷を軽減することができる。
【００５７】
（４）実施の形態２では、通話モードとしてハンズフリー通話モードが選択された場合には、ノイズ低減信号処理に用いるサブマイク音信号を、強制的に第２サブマイクが出力する音信号に切り替える例を説明したが、サブマイクを強制的に切り替えるのは、これに限らない。サブマイクを切り替えられれば、どのような方法で切り替えてもよい。例えば、携帯通信端末にサブマイク切替ボタンを備えて、ユーザがこのボタンを押すたびに、ノイズキャンセル部に音信号を出力するサブマイクが交互に切り替わるようにしてもよい。このようにすることで、ユーザは、通話中に使用態様を変えた場合でも、その使用態様に応じて、ノイズ低減処理を行うために用いるサブマイクを、明示的に選択することができる。なお、サブマイクを交互に切り替える場合だけではなく、ノイズ低減処理を行わずにメインマイク音信号をそのまま出力する場合を加えて、それぞれの場合が切り替わるようにしてもよい。
【００５８】
（５）実施の形態で説明した各処理（図６、図８で示す処理）を携帯通信端末のプロセッサに実行させるための制御プログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布された制御プログラムは、携帯通信端末のプロセッサで読み取り可能なメモリ等に格納されることにより利用に供され、プロセッサがその制御プログラムを実行することにより実施の形態で示した各機能が実現される。
【００５９】
（６）実施の形態において説明した携帯通信端末の差分信号生成部、差分信号比較部、サブマイク選択部、メインマイク用Ａ／Ｄ変換部、サブマイク用Ａ／Ｄ変換部、及びノイズキャンセル部における各機能は、全部又は一部を１チップ又は複数チップの集積回路を用いて実現してもよいし、その機能をコンピュータのプログラムを用いて実現してもよいし、その他どのような形態で実現してもよい。
【００６０】
（７）上記実施の形態及び変形例をそれぞれ適宜組み合わせるとしてもよい。
（８）以下、更に本発明の一実施形態としての携帯通信端末の構成及びその変形例と効果について説明する。
（ａ）本発明の一実施形態に係る携帯通信端末は、内蔵するメインマイクの出力信号に基づく通話信号を外部に送信する携帯通信端末であって、前記メインマイクと離間し、且つ互いに離間して配置された第１及び第２のサブマイクと、前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択部と、前記メインマイクの前記出力信号の成分と前記サブマイク選択部で選択されたサブマイクの出力信号の成分とを合成して通話信号を生成する合成部と、前記合成部で生成した通話信号を外部に送信する送信部とを備える。
【００６１】
これにより、この構成の携帯通信端末では、メインマイクとの出力レベルの差が大きい方のサブマイクの出力信号と、メインマイクの出力信号とを合成するので、ユーザと携帯通信端末との距離が離れた状態で通話するような場合においても、従来よりも、ノイズ低減処理の際にユーザの声の音声成分の大幅な低減が起こりにくい。
（ｂ）ここで、前記サブマイク選択部による前記サブマイクの選択は、前記第１及び第２のサブマイクそれぞれの出力レベルと前記メインマイクの出力レベルとの差を比較することによって行う、としてもよい。
【００６２】
これにより、この構成の携帯通信端末は、通話中にユーザの使用態様が変化した場合でも、差の比較を行い得るので、効果的にノイズ低減処理を行い得るサブマイクを選択することができる。
（ｃ）ここで、更に、筐体と、前記メインマイクが外部の音を取り入れるためのメインマイク孔と、前記第１のサブマイクが外部の音を取り入れるための第１サブマイク孔と、前記第２のサブマイクが外部の音を取り入れるための第２サブマイク孔とを備え、前記メインマイク孔は、前記筐体の主表面に配置され、前記第１サブマイク孔は、前記主表面において、縁近傍に配置され、前記第２サブマイク孔は、前記主表面に対向する裏面に配置されている、としてもよい。
【００６３】
これにより、この構成の携帯通信端末は、筐体の異なる位置にそれぞれのサブマイク孔を配置するのでサブマイクに入力する音の音量には差が生じる。そのため、ノイズ低減処理に適したサブマイク、すなわちメインマイクの出力信号の出力レベルとの差の大きい方のサブマイクを選択することができる。
（ｄ）ここで、ハンズフリー通話モードでの通話機能とハンズフリー通話でない通常通話モードでの通話機能を有しており、前記ハンズフリー通話モードと前記通常通話モードとの間で通話モードを切り替える通話モード切替部と、前記通話モードの切替指示を受け付ける指示受付部とを更に備え、前記通話モード切替部は、前記指示受付部が、前記通話モードの切替指示を受け付けた場合に、前記通話モードを切り替え、前記サブマイク選択部は、前記通話モード切替部が通話モードを前記ハンズフリー通話モードに切り替えた際には、前記第２のサブマイクを選択する、としてもよい。
【００６４】
これにより、この構成の携帯通信端末は、ハンズフリー通話モードでは、ノイズ低減処理に用いるサブマイク選択の際に比較処理を行わないので、ノイズ低減処理の負荷を軽減できる。
（ｅ）本発明の一実施形態に係る携帯通信端末は、内蔵するメインマイクの出力信号に基づく通話信号を外部に送信する携帯通信端末であって、前記メインマイクと離間し、且つ互いに離間して配置された第１及び第２のサブマイクと、ユーザからの前記第１及び第２のサブマイクの切替指示を受け付けるサブマイク切替指示受付部を備え、前記サブマイク切替指示受付部が、前記切替指示を受け付けた場合には、前記第１及び第２のサブマイクのうち、当該切替指示を受け付ける前に選択されていたサブマイクとは異なるサブマイクを選択するサブマイク選択部と、前記メインマイクの前記出力信号の成分と前記サブマイク選択部で選択されたサブマイクの出力信号の成分とを合成して通話信号を生成する合成部と、前記合成部で生成した通話信号を外部に送信する送信部とを備える。
【００６５】
これにより、ユーザは、通話中に使用態様を変化させた場合等に、迅速にノイズ低減処理に用いるサブマイクを切り替えることができる。
（ｆ）本発明の一実施形態に係る携帯通信端末の制御方法は、内蔵するメインマイクの出力信号に基づく通話信号を外部に送信する携帯通信端末の制御方法であって、前記携帯通信端末は、前記メインマイクと離間し、且つ互いに離間して配置された第１及び第２のサブマイクとを備え、前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択ステップと、前記メインマイクの前記出力信号の成分と前記サブマイク選択ステップで選択されたサブマイクの出力信号の成分とを合成して通話信号を生成する合成ステップと、前記合成ステップで生成した通話信号を外部に送信する送信ステップとを備える。
【００６６】
これにより、この構成の携帯通信端末の制御方法では、メインマイクとの出力レベルの差が大きい方のサブマイクの出力信号と、メインマイクの出力信号とを合成するので、ユーザと携帯通信端末との距離が離れた状態で通話するような場合においても、従来よりも、ノイズ低減処理の際にユーザの声の音声成分の大幅な低減が起こりにくい。
（ｇ）本発明の一実施形態に係る携帯通信端末の制御プログラムは、内蔵するメインマイクの出力信号に基づく通話信号を外部に送信する携帯通信端末の制御プログラムであって、前記携帯通信端末は、前記メインマイクと離間し、且つ互いに離間して配置された第１及び第２のサブマイクとを備え、当該携帯通信端末に、前記第１及び第２のサブマイクのうち、当該第１及び第２のサブマイクそれぞれの出力信号の出力レベルと、前記メインマイクの出力信号の出力レベルとの差の大きい方のサブマイクを選択するサブマイク選択ステップと、前記メインマイクの前記出力信号の成分と前記サブマイク選択ステップで選択されたサブマイクの出力信号の成分とを合成して通話信号を生成する合成ステップと、前記合成ステップで生成した通話信号を外部に送信する送信ステップとを実行させる。
【００６７】
これにより、この構成の制御プログラムを用いる携帯通信端末では、メインマイクとの出力レベルの差が大きい方のサブマイクの出力信号と、メインマイクの出力信号とを合成するので、ユーザと携帯通信端末との距離が離れた状態で通話するような場合においても、従来よりも、ノイズ低減処理の際にユーザの声の音声成分の大幅な低減が起こりにくい。
【産業上の利用可能性】
【００６８】
本発明は、携帯通信端末の通話音声のノイズ低減技術として有用である。
【符号の説明】
【００６９】
１０  携帯通信端末
１０１  ＣＰＵ（Central Processing Unit）
１０２  メモリ
１０３  メインマイク
１０４  第１サブマイク
１０５  第２サブマイク
１０９  タッチパネル
１１２  通信用ＬＳＩ（Large Scale Integration）
１１３  アンテナ
１１４  コンパレータ
１１５  サブマイクセレクタ
１１８  ＤＳＰ（Digital Signal Processor）
２０３  メインマイク孔
２０４  第１サブマイク孔
２０５  第２サブマイク孔
４００、４００ｂ  ノイズ低減機能ブロック
４０１  差分信号生成部
４０２  差分信号比較部
４０３、４０３ｂ  サブマイク選択部
４０４  メインマイク用Ａ／Ｄ変換部
４０５  サブマイク用Ａ／Ｄ変換部
４０６  ノイズキャンセル部
４０７  通話モード切替部
【図１】
2014155051.tif 000003
【図２】
2014155051.tif 000004
【図３】
2014155051.tif 000005
【図４】
2014155051.tif 000006
【図５】
2014155051.tif 000007
【図６】
2014155051.tif 000008
【図７】
2014155051.tif 000009
【図８】
2014155051.tif 000010